(57)【特許請求の範囲】
【請求項１】
ネックレス等に用いられて身体に血行促進作用をおよぼす磁気治療器具において、
樹脂と着磁された複数の粒状の固形物とからなり、可撓性を有する長尺な磁性部と、
前記磁性部の一端に形成される係止部と、
前記磁性部の他端に形成されるとともに、前記係止部と着脱可能に係止される被係止部とを備え、
当該被係止部が前記係止部に係止されることで、磁気治療器具がリング状となり、
前記複数の固形物は、前記樹脂で覆われた状態で、前記磁性部が係止部および被係止部を前方として使用者の首周りに装着された際に、各固形物が前記使用者の首の後ろ側であって当該使用者の両肩間にわたる部分にのみそれぞれ位置するように、互いに離間した位置に配置されていることを特徴とする磁気治療器具。
【請求項２】
請求項１に記載の磁気治療器具であって、
前記磁性部を構成する樹脂が、シリコーン樹脂であることを特徴とする磁気治療器具。
【請求項３】
請求項１又は２に記載の磁気治療器具であって、
前記磁性部を構成する樹脂が、ウレタンゴムまたはニトリルブタジエンラバーであることを特徴とする磁気治療器具。
【請求項４】
請求項１〜３のいずれかに記載の磁気治療器具を製造する方法であって、
前記磁性部に対応する上型と下型とを備えた金型に前記樹脂をセットする樹脂セット工程と、
前記金型にセットされた樹脂に、前記複数の固形物を、前記磁性部が係止部および被係止部を前方として使用者の首周りに装着された際に、各固形物が前記使用者の首の後ろ側であって当該使用者の両肩間にわたる部分にのみそれぞれ位置するように、互いに離間した位置に埋め込む埋め込み工程と、
前記金型によって、前記樹脂をプレス成型するプレス成型工程とを含むことを特徴とする磁気治療器具製造方法。
【請求項５】
請求項４に記載の磁気治療器具製造方法であって、
前記埋め込み工程あるいは前記プレス成型工程の後に実施されて、前記固形物を着磁する着磁工程を含むことを特徴とする磁気治療器具製造方法。
【発明の詳細な説明】
【技術分野】
【０００１】
本発明は、血行促進作用等を有する磁気治療器具およびその製造方法に関する。
【背景技術】
【０００２】
従来、磁気を身体に作用させると血行が促進されて健康上良好な効果が得られるといわれており、この効果を得るための種々の健康器具が開発されている。
【０００３】
例えば、特許文献１には、長尺なゴム磁石とこのゴム磁石を覆うポリウレタン層とからなる磁性部を備えた磁気ネックレスが開示されている。この磁気ネックレスでは、前記磁性部が使用者の首のほぼ全周を囲むような長さを有しているとともに、前記磁性部全域にわたりほぼ均一に前記ゴム磁石が設けられており、この磁性部が首周りに装着されることで、前記ゴム磁石の磁気を使用者の身体に作用させ使用者の血行を促進させる。
【特許文献１】特開２００７−１１１３２２号公報
【発明の開示】
【発明が解決しようとする課題】
【０００４】
前記のような健康器具では、装着時等の身体への負担を軽減すべく軽量化が求められている。しかしながら、前記従来の器具では、前記磁性部が比較的軽量なポリウレタン層に加えて、このポリウレタン層よりも比重の大きい磁性体であるゴム磁石で構成されており、このゴム磁石が首周りのほぼ全周を囲むような長さを有しているので、より一層の軽量化が求められている。
【０００５】
本発明は、かかる事情に鑑み、身体への磁気効果を確保しつつ器具全体を軽量化することのできる磁気治療器具の提供を目的とする。
【課題を解決するための手段】
【０００６】
前記課題を解決するための請求項１に係る発明は、ネックレス等に用いられて身体に血行促進作用をおよぼす磁気治療器具において、樹脂と着磁された複数の粒状の固形物とからなり、可撓性を有する長尺な磁性部と、前記磁性部の一端に形成される係止部と、前記磁性部の他端に形成されるとともに、前記係止部と着脱可能に係止される被係止部とを備え、当該被係止部が前記係止部に係止されることで、磁気治療器具がリング状となり、前記複数の固形物は、前記樹脂で覆われた状態で、前記磁性部が係止部および被係止部を前方として使用者の首周りに装着された際に、各固形物が前記使用者の首の後ろ側であって当該使用者の両肩間にわたる部分にのみそれぞれ位置するように、互いに離間した位置に配置されていることを特徴とするものである（請求項１）。
【０００７】
本発明によれば、比較的軽量な樹脂に対して、この樹脂よりも比重の大きい磁性体である固形物が互いに離間した位置に配置されているだけであり、前記磁性体である複数の固形物によって身体への血行促進作用を確保しつつ、器具全体の軽量化を図ることが可能となる。
【０００９】
又、より一層の軽量化を図ることができるとともに、本磁気治療器具が首周りに装着された際に、使用者の両肩間にわたる部位に効果的に磁気を作用させることが可能となる。
【００１１】
又、本磁気治療器具を使用者の首や腕等に容易に装着することが可能となり、利便性が向上する。
【００１２】
また、本発明において、前記磁性部を構成する樹脂が、シリコーン樹脂であるのが好ましい（請求項２）。
【００１３】
前記磁性部を構成する樹脂の具体的な材質は、特に限定されるものではないが、生理的に安定しているシリコーン樹脂を用いれば、前記磁性部が直接肌に接触する場合に、当該磁性部が皮膚に与える悪影響をより確実に抑制することが可能となる。
【００１４】
一方、前記磁性部を、耐摩耗性および強度が比較的高いウレタンゴムまたはニトリルブタジエンラバーで構成すれば、磁性部の損傷を抑制することができ、耐久性を向上させることができる（請求項３）。
【００１５】
また、前記のような磁気治療器具を製造する方法としては、前記磁性部に対応する上型と下型とを備えた金型に前記樹脂をセットする樹脂セット工程と、前記金型にセットされた樹脂に、前記複数の固形物を、前記磁性部が係止部および被係止部を前方として使用者の首周りに装着された際に、各固形物が前記使用者の首の後ろ側であって当該使用者の両肩間にわたる部分にのみそれぞれ位置するように、互いに離間した位置に埋め込む埋め込み工程と、前記金型によって、前記樹脂をプレス成型するプレス成型工程とを含むのが好ましい（請求項４）。
【００１６】
このようにすれば、前記複数の固形物を樹脂内の所定の位置に比較的容易に配置させることが可能となる。
【００１７】
ここで、予め着磁された前記固形物を前記樹脂に埋め込むようにしてもよいが、前記埋め込み工程あるいは前記プレス成型工程の後に、前記固形物を着磁するようにすれば、各固形物の磁極方向を容易に同一にすることができる（請求項５）。
【発明の効果】
【００１８】
以上説明したように、本発明によれば、身体への磁気効果を確保しつつ軽量化することのできるとともに製造工程を簡素化することのできる磁気治療器具を提供することができる。
【発明を実施するための最良の形態】
【００１９】
以下、本発明の好ましい実施の形態について図面を参照して説明する。ここでは、本発明に係る磁気治療器具を磁気ネックレスとして利用する場合について説明する。
【００２０】
図１は本発明に係る磁気治療器具すなわち磁気ネックレスの正面図である。
【００２１】
本磁気ネックレス１は、長尺な磁性部１０と、被係止部３０と、係止部５０とを有している。
【００２２】
前記磁性部１０は、使用者の首周りに装着されることによって使用者の身体に磁気を作用させるものである。本磁気ネックレス１では、シリコーンゴム（樹脂）２００に複数の磁石（固形物）１４が埋め込まれることにより前記磁性部１０が構成されており、前記磁石１４が使用者の身体に磁気を作用させる。
【００２３】
前記磁石１４は、粒状を有しており、図１に示すように、前記シリコーンゴム２００に覆われた状態で互いに離間した位置に配置されている。本実施形態では、本磁気ネックレス１が後述する係止部５０および被係止部３０を前方として首周りに装着された際に、各磁石１４が使用者の首の後ろ側に位置するように設けられている。具体的には、７個の磁石１４が、使用者の両肩間にわたる位置に互いに等間隔に並べられており、磁気が効果的に使用者の肩および首に作用するようになっている。この磁石１４の種類は特に限定されるものではないが、比較的磁気の強いネオジウム磁石等の希土類磁石を用いるのが好ましい。
【００２４】
また、前記磁性部１０は、前記シリコーンゴム２００が有する弾性により全体として可撓性を有しており、運動中等でも身体を傷つけるおそれがなく使用できるようになっている。さらに、この磁性部１０では、その外周面が前記シリコーンゴム２００で構成されるように、前記磁石１４が前記シリコーンゴム２００に囲まれた状態でこのシリコーンゴム２００内に埋め込まれている。ここで、前記シリコーンゴム２００は、他の合成樹脂等に比べて生理的に安定しており、身体への悪影響が比較的小さいと言われている。そのため、本磁気ネックレス１が直接肌に接触するように使用される場合において、生理的に安定したシリコーンゴム２００が皮膚と接触することになるので、使用者の肌への悪影響が抑制される。
【００２５】
前記被係止部３０は、後述する係止部５０に係止されるものである。この被係止部３０は、保持部３１と被係止突起４０とを有している。前記保持部３１は、シリコーンゴム２００からなり、前記磁性部１０の一方端にこの磁性部１０と一体にプレス成型されている。
【００２６】
前記被係止突起４０は、後述する係止部５０の係止孔５１と係合することで、本磁気ネックレス１をリング状に保持するためのものである。この被係止突起４０は、固定板４２と、この固定板４２の端面から延びる軸部４４と、この軸部４４の先端に設けられる球状端部４６とを有している。ここで、前記固定板４２は前記軸部４４よりも十分に大きな外径を有する板状部材であり、前記球状端部４６は、前記軸部４４の外径よりも大きな外径を有する略半球状部材である。これら固定板４２と軸部４４と球状端部４６とは互いに一体に形成されており、例えば、硬質エラストマー、ポリアセタールからなる。そして、この被係止突起４０は、前記固定板４２と前記軸部４４の一部が前記保持部３１の内側に収容されることで、この保持部３１の端面から前記軸部４４の一部が突出した状態で、前記保持部３１に保持される。
【００２７】
前記係止部５０は、前記被係止部３０を係止するためのものである。この係止部５０は、シリコーンゴム２００からなり、前記磁性部１０の端部のうち前記被係止部３０が設けられる部分と反対側の端部に、プレス成型によりこの磁性部１０と一体に形成されている。この係止部５０には、前記磁性部１０と反対側の端面に開口する係止孔５１が形成されている。そして、この係止部５０は、前記被係止突起４０と前記係止孔５１とが係合することで、前記被係止部３０を係止する。
【００２８】
具体的には、前記係止孔５１は、前記係止部５０の端面に開口する入り口部５２と、この入り口部よりも深い位置に設けられた狭小部５４と、この狭小部５４よりも深い位置に設けられた係合孔５６とからなる。前記狭小部５４の内径は、前記係止突起４０の軸部４４の外径よりも大きく、かつ、前記係止突起４０の球状端部４６の外径よりも小さく設定されている。一方、前記入り口部５２の外径および前記係合孔５６の外径は前記係止突起４０の球状端部４６の外径よりも大きくなっている。
【００２９】
そして、前記係止部５０は、図３に示すように、被係止突起４０の球状端部４６が前記係止孔５１の狭小部５４を押し広げつつ前記係合孔５６内に挿入されることで、前記狭小部５４と前記係合孔５６との段部により前記球状端部４６を抜け止め状態とし、この被係止突起４０を係止する。
【００３０】
ここで、前述のように、前記狭小部５４の内径は、前記被係止突起４０の球状端部４６を抜け止め状態にすべくこの球状端部４６の外径よりも小さく設定されているが、前記被係止突起４０に比較的小さな力をかけることで前記抜け止め状態を解除できるような大きさに設定されている。すなわち、本磁気ネックレス１では、前記被係止突起４０ひいては前記被係止部３０が前記係止部５０に対して容易に着脱可能となっており、この磁気ネックレス１の装着および脱着が容易に行えるように構成されている。
【００３１】
次に、本磁気ネックレス１の製造方法について説明する。図４は、この磁気ネックレス１を成型するための金型１００の概略正面図である。具体的には、この金型１００は互いに対称な上型１０２と下型１０４とからなり、図４は、下型１０４の概略正面図である。図５および図６は、前記図４の部分拡大断面図である。
【００３２】
前記金型１００には、前記磁性部１０に対応する磁性部溝１１０と、前記被係止部３０の保持部３１に対応する被係止部溝１３０と、前記係止部５０に対応する係止部溝１５０とが形成されている。また、この金型１００には、前記被係止部溝１３０に連設されて、前記被係止突起４０をこの被係止部溝１３０とにわたって設置するための被係止突起設置用溝１４０が形成されている。さらに、この金型１００には、前記係止部５０の係止孔５１の内形と対応する外形を有する係止部用金具１５１が設けられている。
【００３３】
前記のように構成された金型１００を用いた前記磁気ネックレス１の製造方法は以下の工程を含む。
【００３４】
１）樹脂セット工程
この工程は、前記金型１００にペースト状のシリコーンゴム２００をセットする工程である。この工程では、前記上型１０２および下型１０４の各磁性部溝１１０、各被係止部溝１３０、各係止部溝１５０全体に同時にシリコーンゴム２００をセットする。ここで、前記係止部用金具１５１は、前記係止部溝１５０にシリコーンゴム２００がセットされる前に、予め前記下型１０４の係止部溝１５０に設置されており、前記係止部５０の係止孔５１に対応する部分には前記シリコーンゴム２００が入り込まないようになっている。前記シリコーンゴム２００は例えばミラブル型シリコーンゴムを用いればよい。
【００３５】
２）被係止突起埋め込み工程
この工程は、前記被係止突起４０を前記シリコーンゴム２００に埋め込む工程である。この工程では、図７に示すように、予め形成された被係止突起４０を前記被係止突起設置用溝１４０に沿って配置し、この被係止突起４０の前記固定部４６と前記軸部４４の一部とを前記シリコーンゴム２００がセットされた被係止部溝１３０に埋め込む。このとき、前記被係止突起４０は、その前記軸部４４が前記被係止部溝１３０から外側に突出するように配置される。
【００３６】
３）磁性体投入工程
この工程は、前記磁石１４を前記シリコーンゴム２００がセットされた磁性部溝１１０に配置する工程である。この工程では、図８に示すように、前記磁石１４を前記下型１０４の磁性部溝１１０にセットされたシリコーンゴム２００に、互いに等間隔に埋め込んでいく。このとき、各磁石１４は、各磁石１４と下型１０４の磁性部溝１１０との間にシリコーンゴム２００が介在する位置に配置される。
【００３７】
４）着磁工程
この工程は、前記複数の磁石１４を着磁する工程である。この工程では、所定の着磁電源装置により各磁石１４を着磁する。このとき、各磁石１４はその磁極方向が同一になるように着磁される。
【００３８】
５）プレス成型工程
この工程は、前記シリコーンゴム２００をプレス成型する工程である。この工程では、図９に示すように、前記被係止突起１４０と前記磁石１４とが埋め込まれた状態のシリコーンゴム２００を収容している下型１０４と、シリコーンゴム２００がセットされた上型１０２とを合わせて、加熱および加圧する。例えば、１６０℃の温度下で８．５ｔの圧力を加える。
【００３９】
このように加熱および加圧されると、前記磁性部溝１１０では、前記磁石１４が内側に収容された状態で上型１０２のシリコーンゴム２００と下型１０４のシリコーンゴム２００とが一体化され、前記磁性部１０が形成される。また、前記被係止部溝１３０では、前記被係止突起４０が内側に収容された状態で上型１０２のシリコーンゴム２００と下型１０４のシリコーンゴム２００とが一体化され、前記被係止突起４０を保持した状態の前記被係止部３０が形成される。そして、前記係止部溝１５０では、前記係止部用金具１５１の一部が内側に収容された状態で上型１０２のシリコーンゴム２００と下型１０４のシリコーンゴム２００とが一体化され、前記係止部５０が形成される。このとき、前記係止部５０および前記被係止部３０は、同時に前記磁性部１０に一体的に成型される。
【００４０】
６）仕上工程
この工程は、余分なシリコーンゴム２００等を取り除き、前記磁気ネックレス１の形を整える工程である。この工程では、前記プレス成型工程時に金型１００の各溝の周囲に押出された余分なシリコーンゴム２００を排除する。さらに、前記係止部用金具１５１を前記係止部５０から取り除く。この係止部用金具１５１は、前述のように前記係止部５０の係止孔５１と対応する形状を有しているので、この係止部用金具１５１を取り除くと前記係止部５０には前記係止孔５１が形成される。
【００４１】
このようにして、前記磁石１４を含みシリコーンゴム２００からなる磁性部１０と、この磁性部１０と一体化された前記被係止部３０と係止部５０とを備えるとともに、前記係止突起４０が前記被係止部３０に保持され、かつ、前記係止部５０に前記係止孔５１が形成された磁気ネックレス１が形成される。
【００４２】
以上のように、本磁気ネックレス１によれば、前記磁石１４が身体に磁気を作用させるとともに、前記首周り等に装着される長尺な磁性部１０が、シリコーンゴム２００に複数の磁石１４が互いに離間した位置に埋め込まれることにより構成されていることで、従来のように前記磁性部１０全体にわたってゴム磁石が設けられる場合に比べて、全体の重量が軽量化される。
【００４３】
また、前記複数の磁石１４が、前記使用者の首の後ろ側であって当該使用者の両肩間にわたる部分に対応する位置にのみそれぞれ配置されていることで、磁気ネックレス１をより確実に軽量化することができるとともに、前記磁石１４の磁気を効果的に使用者の両肩間にわたる部位に作用させることができる。
【００４４】
また、前記磁気ネックレス１を製造する方法として、前記のような方法を用いれば、前記埋め込み工程にて、前記複数の磁石１４をシリコーンゴム２００内の所定の位置に容易に配置することができる。さらに、前記埋め込み工程後に前記磁石１４を着磁すれば、各磁石１４の磁極方向を一致させることができ、磁石１４の磁気を身体により均一に作用させることが可能となる。
【００４５】
ここで、前記被係止部３０が成型された後に、前記被係止突起４０をこの被係止部３０に装着するようにしてもよいが、前述のように、被係止突起埋め込み工程にて、前記被係止突起４０を埋め込んだ後に、前記プレス工程を実施すれば、この被係止突起４０を前記被係止部３０に容易に保持させることが可能となり、別途被係止突起４０を被係止部３０に取り付ける手間を省くことができる。
【００４６】
また、前記製造方法において、前記係止部用金具１５１に代えて、プレス成型時に蒸発消滅するような部材を用いるようにしてもよい。このようにすれば、前記係止部用金具１５１を取り外す手間が削減される。
【００４７】
また、前記被係止突起埋め込み工程の前に前記磁性体投入工程を実施してもよい。さらに、前記プレス工程の後に前記着磁工程を実施してもよい。
【００４８】
また、本発明に係る磁気治療器具は、前記のように首周りに装着する磁気ネックレス以外にも適宜利用可能である。
【００４９】
また、前記係止部５０、被係止部３０、前記被係止突起４０の具体的な構造、および、前記磁石１４の配置等は前記に限らない。また、前記被係止突起５０の材質等は前記に限らない。また、前記プレス成型工程における圧力等は前記に限らない。
【００５０】
さらに、前記シリコーンゴム２００に代えて、ウレタンゴムやニトリルブタジエンラバーを用いてもよい。このウレタンゴムやニトリルブタジエンラバーは耐磨耗性および強度が高いので、これらの材料を用いれば、磁気ネックレス１の損傷が抑制され、耐久性が向上する。もちろん、これらシリコーンゴム、ウレタンゴム、ニトリルブタンジエンラバーの代わりに、他の合成樹脂あるいは天然樹脂を用いてもよい。但し、前述のように、シリコーンゴムは生理的に安定しているので、このシリコーンゴムを用いれば、使用者の肌への悪影響をより確実に抑制できる。
【００５１】
また、前記磁性部１０と係止部５０と被係止部３０とを個別の樹脂で構成するようにしてもよい。この場合には、前記樹脂セット工程にて、前記金型１００の各部に対応する部分にそれぞれの樹脂をセットすればよい。
【図面の簡単な説明】
【００５２】
【図１】本発明に係る磁気ネックレス（磁気治療器具）の正面図である。
【図２】図１に示す磁気ネックレスの部分拡大図である。
【図３】図１に示す磁気ネックレスの部分拡大図である。
【図４】図１に示す磁気ネックレスを成型する金型の概略上面図である。
【図５】図４に示す金型の部分拡大断面図である。
【図６】図４に示す金型の部分拡大断面図である。
【図７】図１に示す磁気ネックレスを成型する方法を説明するための説明図である。
【図８】図１に示す磁気ネックレスを成型する方法を説明するための説明図である。
【図９】図１に示す磁気ネックレスを成型する方法を説明するための説明図である。
【符号の説明】
【００５３】
１  磁気ネックレス（磁気治療器具）
１０  磁性部
１４  磁石（固形物）
３０  被係止部
４０  被係止突起
５０  係止部
５１  係止孔
１００  金型
１１０  磁性部溝
１３０  被係止部溝
１４０  被係止突起設置用溝
１５０  係止部溝
１５１  被係止突起用金具
２００  シリコーンゴム（樹脂）
【図１】
0005192740.tif 000002
【図２】
0005192740.tif 000003
【図３】
0005192740.tif 000004
【図４】
0005192740.tif 000005
【図５】
0005192740.tif 000006
【図６】
0005192740.tif 000007
【図７】
0005192740.tif 000008
【図８】
0005192740.tif 000009
【図９】
0005192740.tif 000010